(57)【要約】【課題】携帯時における小型化を図りつつ撮像される撮影光学系の光学的性能の向上を図る上で有利な撮像装置を提供する。【解決手段】レンズカバー３０を上限位置から下限位置にスライドさせることにより、駆動機構３２により第２の鏡筒２２が没入位置から突出位置に突出される。これにより、撮影光学系１８の光路の最後部に位置する第２レンズ２６０４と撮像素子１６の撮像面との間の光路長が確保される。レンズカバー３０を下限位置から上限位置にスライドさせることにより、駆動機構３２により第２の鏡筒２２が突出位置から没入位置に没入される。これにより、対物レンズ２４０２およびフラッシュ１１２がレンズカバー３０で覆われると同時に、撮影光学系１８の光路の最後部に位置する第２レンズ２６０４と撮像素子１６の撮像面との間の光路長が短縮される。【選択図】図４
2008256906.tif 000002
【特許請求の範囲】
【請求項１】
筐体と、
前記筐体に設けられた撮像素子と、
被写体像を前記撮像素子に導く撮影光学系とを有し、
前記撮影光学系は、
前記被写体像を前記筐体の内部に取り入れる第１光学系と、
前記第１光学系の光軸と交差する光軸を有し前記被写体像を前記撮像素子に導く第２光学系とを有し、
前記筐体に、
前記撮像素子を収容する第１の鏡筒と、
前記撮影光学系を収容し前記第１の鏡筒に前記第２光学系の光軸に沿って摺動可能に結合された第２の鏡筒と、
前記第２の鏡筒を、前記筐体から突出させる突出位置と、前記筐体内に没入させる没入位置との間で移動させる駆動機構とが設けられている、
ことを特徴とする撮像装置。
【請求項２】
前記第２の鏡筒は、上面と、前記上面の周囲から下方に延在する側面とを有して上下に延在し、
前記突出位置で、前記第２の鏡筒の前記上面は前記筐体の上面よりも上方に位置し、前記没入位置で、前記第２の鏡筒の前記上面は前記筐体の上面と同じ高さに位置する、
ことを特徴とする請求項１記載の撮像装置。
【請求項３】
前記第１の鏡筒は、底面と、前記底面の周囲から上方に延在する側面とを有し上方に開放状で上下に延在し、
前記第２の鏡筒は、上面と、前記上面の周囲から下方に延在する側面とを有し下方に開放状で上下に延在し、
前記第１の鏡筒と前記第２の鏡筒との結合は、前記第１の鏡筒の側面の内側に前記第２の鏡筒の側面が摺動可能に組み込まれることでなされ、
前記突出位置で、前記第２の鏡筒の前記上面は前記筐体の上面よりも上方に位置し、前記没入位置で、前記第２の鏡筒の前記上面は前記筐体の上面と同じ高さに位置し、
前記第１光学系は、前記第２の鏡筒の上部に配置されてその光軸が前後方向に延在し、
前記第２光学系は、前記第２の鏡筒の内部で前記第１光学系の下方に配置されてその光軸が上下方向に延在し、
前記第１光学系の光軸と前記第２光学系の光軸が交差する箇所に、光路を９０度屈曲させる反射部が設けられている、
ことを特徴とする請求項１記載の撮像装置。
【請求項４】
前記筐体は矩形板状を呈し、
前記第１の鏡筒および前記第２の鏡筒は、前記筐体の左側部で前記第２の鏡筒が前記第１の鏡筒の上位に位置するように配置され、
前記第２の鏡筒は、上面と、前記上面の周囲から下方に延在する側面とを有して上下に延在し、
前記突出位置で、前記第２の鏡筒の前記上面は前記筐体の上面よりも上方に位置し、前記没入位置で、前記第２の鏡筒の前記上面は前記筐体の上面と同じ高さに位置する、
ことを特徴とする請求項１記載の撮像装置。
【請求項５】
前記筐体は矩形板状を呈し、
前記第１の鏡筒および前記第２の鏡筒は、前記筐体の左側部で前記第２の鏡筒が前記第１の鏡筒の上位に位置するように配置され、
前記第２の鏡筒は、上面と、前記上面の周囲から下方に延在する側面とを有して上下に延在し、
前記突出位置で、前記第２の鏡筒の前記上面は前記筐体の上面よりも上方に位置し、前記没入位置で、前記第２の鏡筒の前記上面は前記筐体の上面と同じ高さに位置し、
前記第１光学系は、前記筐体の前方に向いた前記側面の上部に組み込まれた対物レンズを含んで構成され、
前記突出位置で、前記対物レンズの上部は前記筐体の上面よりも上方に位置する、
ことを特徴とする請求項１記載の撮像装置。
【請求項６】
前記筐体は矩形板状を呈し、
前記第１の鏡筒および前記第２の鏡筒は、前記筐体の左側部で前記第２の鏡筒が前記第１の鏡筒の上位に位置するように配置され、
前記第２の鏡筒は、上面と、前記上面の周囲から下方に延在する側面とを有して上下に延在し、
前記突出位置で、前記第２の鏡筒の前記上面は前記筐体の上面よりも上方に位置し、前記没入位置で、前記第２の鏡筒の前記上面は前記筐体の上面と同じ高さに位置し、
前記第１光学系は、前記筐体の前方に向いた前記側面の上部に組み込まれた対物レンズを含んで構成され、
前記筐体の前方に向いた前記側面の上部で前記対物レンズの側方の箇所に、撮影補助光を発光するフラッシュが設けられ、
前記突出位置で、前記対物レンズの上部および前記フラッシュは前記筐体の上面よりも上方に位置する、
ことを特徴とする請求項１記載の撮像装置。
【請求項７】
前記第２の鏡筒は、上面と、前記上面の周囲から下方に延在する側面とを有し下方に開放状で上下に延在し、
前記第１の鏡筒は、底面と、前記底面の周囲から上方に延在する側面とを有し上方に開放状で上下に延在し、
前記第１の鏡筒と前記第２の鏡筒との結合は、前記第１の鏡筒の側面の内側に前記第２の鏡筒の側面が摺動可能に組み込まれることでなされ、
前記第１の鏡筒の側面に、開口と、前記開口を閉塞するように前記側面に取着され前記開口を通して前記第１の鏡筒の内外の空気の流通を可能としかつ塵埃の前記第１の鏡筒内への侵入を阻止するフィルターとが設けられている、
ことを特徴とする請求項１記載の撮像装置。
【請求項８】
前記第２の鏡筒は、上面と、前記上面の周囲から下方に延在する側面とを有し下方に開放状で上下に延在し、
前記第１の鏡筒は、底面と、前記底面の周囲から上方に延在する側面とを有し上方に開放状で上下に延在し、
前記第１の鏡筒と前記第２の鏡筒との結合は、前記第１の鏡筒の側面の内側に前記第２の鏡筒の側面が摺動可能に組み込まれることでなされ、
前記第１の鏡筒と前記第２の鏡筒とにわたり、前記第２の鏡筒の前記突出位置と前記没入位置との間における上下移動を案内する案内機構が設けられている、
ことを特徴とする請求項１記載の撮像装置。
【請求項９】
前記筐体は矩形板状を呈し、
前記第２の鏡筒は、上面と、前記上面の周囲から下方に延在する側面とを有して上下に延在し、
前記突出位置で、前記第２の鏡筒の前記上面は前記筐体の上面よりも上方に位置し、前記没入位置で、前記第２の鏡筒の前記上面は前記筐体の上面と同じ高さに位置し、
前記第１光学系は、前記筐体の前方に向いた前記側面の上部に組み込まれた対物レンズを含んで構成され、
前記筐体の前面に上限位置と下限位置との間で上下に移動可能にレンズカバーが設けられ、
前記駆動機構は、前記レンズカバーと、前記レンズカバーの上下動に連動させて前記第２の鏡筒を移動させる連動機構を含んで構成され、
前記連動機構は、前記レンズカバーの下限位置で第２の鏡筒が前記突出位置となり前記対物レンズが前方に露出され、前記レンズカバーの上限位置で前記第２の鏡筒が前記没入位置となり前記対物レンズが前記レンズカバーで覆われるように構成されている、
ことを特徴とする請求項１記載の撮像装置。
【請求項１０】
前記筐体は矩形板状を呈し、
前記第２の鏡筒は、上面と、前記上面の周囲から下方に延在する側面とを有して上下に延在し、
前記突出位置で、前記第２の鏡筒の前記上面は前記筐体の上面よりも上方に位置し、前記没入位置で、前記第２の鏡筒の前記上面は前記筐体の上面と同じ高さに位置し、
前記第１光学系は、前記筐体の前方に向いた前記側面の上部に組み込まれた対物レンズを含んで構成され、
前記筐体の前方に向いた前記側面の上部で前記対物レンズの側方の箇所に、撮影補助光を発光するフラッシュが設けられ、
前記筐体の前面に上限位置と下限位置との間で上下に移動可能にレンズカバーが設けられ、
前記駆動機構は、前記レンズカバーと、前記レンズカバーの上下動に連動させて前記第２の鏡筒を移動させる連動機構を含んで構成され、
前記連動機構は、前記レンズカバーの下限位置で第２の鏡筒が前記突出位置となり前記対物レンズおよび前記フラッシュが前方に露出され、前記レンズカバーの上限位置で前記第２の鏡筒が前記没入位置となり前記対物レンズおよび前記フラッシュが前記レンズカバーで覆われるように構成されている、
ことを特徴とする請求項１記載の撮像装置。
【請求項１１】
前記連動機構は、筐体に内部で左右方向に延在するアームを含んで構成され、
前記アームは、その延在方向の中間部が前記筐体に揺動可能に支持され、その延在方向の一端が前記レンズカバーに連結され、その延在方向の他端が前記第２の鏡筒に連結されている、
ことを特徴とする請求項９記載の撮像装置。
【請求項１２】
前記連動機構は、
前記筐体に上下に移動可能に支持され前記レンズカバーに連動して上限位置と下限位置との間で移動する第１ラックと、
前記筐体に上下に移動可能に支持され前記第２の鏡筒に連動して上限位置と下限位置との間で移動する第２ラックと、
前記筐体に回転可能に支持され前記第１ラックの歯部と前記第２ラックの歯部の双方に噛合し前記第１ラックの下方への移動により前記第２ラックを上方に移動させ、前記第１ラックの上方への移動により前記第２ラックを下方に移動させるピニオンとを含んで構成されている、
ことを特徴とする請求項９記載の撮像装置。
【請求項１３】
前記連動機構は、
前記筐体に上下に移動可能に支持され前記レンズカバーに連動して上限位置と下限位置との間で移動する第１ラックと、
前記筐体に上下に移動可能に支持され前記第２の鏡筒に連動して上限位置と下限位置との間で移動する第２ラックと、
前記筐体に回転可能に支持され前記第１ラックの歯部と前記第２ラックの歯部の双方に噛合し前記第１ラックの下方への移動により前記第２ラックを上方に移動させ、前記第１ラックの上方への移動により前記第２ラックを下方に移動させるピニオンとを備え、
前記レンズカバーの上限位置で第１ラックの歯部は前記ピニオンに噛合すると共に、前記レンズカバーの上限位置と下限位置との間の中間位置で第１ラックの歯部は前記ピニオンから外れかつ前記第２の鏡筒は前記第２ラックを介して突出位置となり、
前記第１ラックの側部にカムが設けられ、
前記筐体に左右方向に移動可能に支持された係止板が設けられ、
前記レンズカバーの前記中間位置で前記カムに前記係止板が係合し、前記レンズカバーの前記中間位置から前記下限位置への移動により前記カムを介して前記係止板が第１ラックから第２ラックに向かう方向に移動し、前記レンズカバーの前記下限位置で前記係止板のストッパが前記第２ラックに係止し、前記第２ラックの下方への移動を阻止する、
ことを特徴とする請求項９記載の撮像装置。
【発明の詳細な説明】
【技術分野】
【０００１】
本発明は撮像装置に関する。
【背景技術】
【０００２】
従来から、筐体の一部を残りの部分に対して伸縮あるいは出没させることにより、携帯時における筐体の小型化を図った撮像装置が提供されている。
このような撮像装置として、対物レンズを保持する蓋体を筐体に対して出没可能に設け、使用時には蓋体を開放して対物レンズを筐体外部に露出させて撮影可能とし、非使用時（携帯時）には蓋体を閉塞して対物レンズを筐体内部に収容するものが提案されている（特許文献１参照）。
また、互いに入れ子式に伸縮可能に組み合わされた２つの本体部材からなる筐体を備え、一方の本体部材に対物レンズと前群レンズを設け、他方の本体部材に後群レンズと撮像素子とを設けた撮像装置が提案されている（特許文献２参照）。この撮像装置では、使用時には、２つの本体部材を離間させることで対物レンズから前群レンズおよび後群レンズを通過して撮像素子に至る光路長、すなわち撮影光学系の光路長を確保するようにし、非使用時（携帯時）には、２つの本体部材を接近させて前記前群レンズと後群レンズとを近接させるようにしている。
【特許文献１】特開２００３−２６２９０７
【特許文献２】特開２００４−３２５４７１
【発明の開示】
【発明が解決しようとする課題】
【０００３】
しかしながら、前者の撮像装置では、対物レンズを設けた蓋体を開閉する構造であることから筐体の小型化を図る上で限界があった。
また、後者の撮像装置では、前群レンズと後群レンズとの距離を伸縮させるものであり、すなわち、撮影光学系の光路の中間部で光路長の伸縮を行うことから、撮影時における前群レンズと後群レンズとの位置関係のばらつきなどによって撮影光学系の光学的性能が低下しやすい不利があった。
本発明はこのような事情に鑑みなされたものであり、その目的は携帯時における小型化を図りつつ撮像される撮影光学系の光学的性能の向上を図る上で有利な撮像装置を提供することにある。
【課題を解決するための手段】
【０００４】
上述の目的を達成するため、本発明の撮像装置は、筐体と、前記筐体に設けられた撮像素子と、被写体像を前記撮像素子に導く撮影光学系とを有し、前記撮影光学系は、前記被写体像を前記筐体の内部に取り入れる第１光学系と、前記第１光学系の光軸と交差する光軸を有し前記被写体像を前記撮像素子に導く第２光学系とを有し、前記筐体に、前記撮像素子を収容する第１の鏡筒と、前記撮影光学系を収容し前記第１の鏡筒に前記第２光学系の光軸に沿って摺動可能に結合された第２の鏡筒と、前記第２の鏡筒を、前記筐体から突出させる突出位置と、前記筐体内に没入させる没入位置との間で移動させる駆動機構とが設けられていることを特徴とする。
【発明の効果】
【０００５】
本発明によれば、撮影光学系を収容する第２の鏡筒を、撮像素子を収容する第１の鏡筒に対して摺動させることで撮影光学系の光路長を伸縮するようにしたので、撮像装置の非使用時には、撮影光学系の光路長を短縮することで撮像装置の小型化を図ることができる。
また、第２の鏡筒の摺動による撮影光学系の光路長の伸縮が、撮影光学系の光路の最後部と撮像素子とを離間、接近させることでなされるため、撮影光学系の光学的性能の向上を図る上で有利となる。
【発明を実施するための最良の形態】
【０００６】
（第１の実施の形態）
次に本発明の実施の形態について図面を参照して説明する。
図１は本実施の形態の撮像装置１０の非使用状態を示す斜視図、図２は本実施の形態の撮像装置１０の使用状態を示す斜視図、図３は撮像装置１０の制御系を示すブロック図である。
撮像装置１０は、図２に示すように、筐体１２と、撮像素子１６（図３）と、撮影光学系１８と、駆動機構３２（図５）とを含んで構成されている。
撮像装置１０は、本実施の形態ではデジタルスチルカメラである。
撮像装置１０は、図１、図２に示すように、外装を構成する筐体１２を有している。
筐体１２は前後方向の厚さと、厚さよりも大きな寸法の上下方向の高さと、高さよりも大きな寸法の左右方向の幅とを有する矩形板状を呈している。
筐体１２は、前方に臨む前面１２Ａと、後方に臨む後面１２Ｂと、左右の側方に臨む左右の側面１２Ｃ、１２Ｄと、上方に臨む上面１２Ｅと、下方に臨む底面１２Ｆとを有している。
なお、本明細書において、前方とは被写体側をいい、後方とはその反対側をいい、左右は撮像装置１０を前方から見た状態でいうものとする。
成されている。
【０００７】
図２に示すように、筐体１２の上面１２Ｅの左寄り箇所には、シャッターボタン１０２、電源スイッチ１０４などが設けられている。
筐体１２の後面１２Ｂには静止画および動画などの画像や文字や記号などが表示されるディスプレイ１０６（図３）、各種操作を行なうための複数の操作スイッチ１０８（図３）が設けられている。
また、図示しないが、筐体１２の下面１２Ｆには、静止画あるいは動画などの画像などを記録するためのメモリカード１１０（図３）を装脱可能に収容するメモリ収容室や、撮像装置１０の電源を構成するバッテリーを装脱可能に収容するバッテリー収容室などが設けられている。
【０００８】
図３に示すように、撮像素子１６は、撮影光学系１８によって結像された被写体像を撮像するＣＣＤやＣＭＯＳセンサなどで構成されている。
撮像素子１６で撮像された像は撮像信号として画像処理部１３０に出力され、画像処理部１３０ではこの撮像信号に基づいて静止画あるいは動画の画像データが生成され、メモリカード（記憶媒体）１１０に記録される。また、前記画像データは表示処理部１３２によりディスプレイ１０６に表示される。
さらに、撮像装置１０は、シャッターボタン１０２、電源スイッチ１０４、操作スイッチ１０８の操作に応じて、画像処理部１３０、表示処理部１３２、フラッシュ１１２などを制御するＣＰＵなどを含む制御部１３４を備えている。
【０００９】
次に本発明の要旨であるレンズ鏡筒および駆動機構の構成について詳細に説明する。
図４（Ａ）は第２の鏡筒２２が没入位置にある撮像装置１０の断面図、（Ｂ）は第２の鏡筒２２が突出位置にある撮像装置１０の断面図である。
図４（Ｂ）に示すように、レンズ鏡筒１４は、撮影光学系１８と、第１の鏡筒２０と、第２の鏡筒２２と、撮像素子１６とを含んで構成されている。
【００１０】
第１の鏡筒２０は筐体１２の内部の右側部の下部に設けられている。
第１の鏡筒２０は、矩形板状の底面２０Ａと、底面２０Ａの四辺から起立する側面２０Ｂとを有し、上方に開放状に形成されている。
撮像素子１６はその撮像面を上方に向けて底面２０Ａ上に配置されている。
【００１１】
第２の鏡筒２２は、矩形板状の上面２２Ａと、上面２２Ａの４辺から下方に延在する４つの側面２２Ｂとを有し、下方に開放状に形成されている。
第２の鏡筒２２の４つの側面２２Ｂは、第１の鏡筒２０の４つの側面２０Ｂの内側に摺動可能に挿入される。
４つの側面２２Ｂのうち筐体１２の前方を向いた側面２２Ｂの上部には開口２２Ｃが形成されている。
また、フラッシュ１１２は側面２２Ｂの上部で開口２２Ｃの側方に設けられている。
また、図５に示すように、第２の鏡筒２２が左側方に臨む側面２２Ｂの上下方向の中間部に上側凹部２２０２が形成され、また、側面２２Ｂの下部には下側凹部２２０４が形成されている。
【００１２】
そして、第２の鏡筒２２は、上面１２Ｅに設けられた開口１２０２から突出した突出位置（図２）と、開口１２０２内に没入した没入位置（図１）との間で上下に移動可能に配置されている。
そして、突出位置で、第２の鏡筒２２の上面２２Ａは筐体１２の上面１２Ｅよりも上方に位置し、対物レンズ２４０２の上部およびフラッシュ１１２は筐体１２の上面１２Ｅよりも上方に位置する。
また、没入位置で、第２の鏡筒２２の上面２２Ａは筐体１２の上面１２Ｅと同じ高さに位置する。
【００１３】
撮影光学系１８は、図４（Ｂ）に示すように、被写体像を筐体１２の内部に取り入れる第１光学系２４と、第１光学系２４の光軸と交差する光軸を有し被写体像を撮像素子１６に導く第２光学系２６と、それら第１光学系２４と第２光学系２６とが交差する箇所に設けられたプリズム２８とを含んで構成されている。したがって、本実施の形態では、プリズム２８が光路を９０度屈曲させる反射部を構成している。
第１光学系２４は、第２の鏡筒２２の側面２２Ｂの開口２２Ｃに組み込まれた対物レンズ２４０２を含んで構成され、第１光学系２４の光軸は前後方向に延在している。
第２光学系２６は、第２の鏡筒２２の内部に上下に間隔をおいて組み込まれた第１レンズ２６０２および第２レンズ２６０４を含んで構成され、第２光学系２６の光軸は上下方向に延在している。
プリズム２８は、それら光軸が交差する箇所である第２の鏡筒２２の上部に組み込まれ、第１光学系２４から導かれた被写体像を反射して第２光学系２６に導く反射面２８０２を有している。なお、プリズム２８に代えて反射ミラーを設け、この反射ミラーにより第１光学系２４から導かれた被写体像を反射して第２光学系２６に導くようにしてもよい。
なお、本実施の形態では、撮影光学系１８が対物レンズ２４０２、プリズム２８、第１、第２レンズ２６０２、２６０４を備える場合について説明したが、撮影光学系１８を構成する光学部材の構成や数は限定されるものではなく、また、光学フィルター、光量調整機構（絞り機構）などの光学部品を設けることは任意であり、撮影光学系１８として従来公知のさまざまな構成が採用可能であることは無論である。
【００１４】
本実施の形態では、駆動機構３２は、レンズカバー３０と、レンズカバー３０の上下動に連動させて第２の鏡筒２２を移動させる連動機構３３（図５）を含んで構成されている。
図１、図２に示すように、レンズカバー３０は、上下の高さを有して筐体１２の幅方向の全域にわたって延在する矩形板状を呈し、筐体１２の前面１２Ａの上半部に設けられている。
レンズカバー３０は、該レンズカバー３０を指で上下に動かすことにより、図１に示す上限位置と、図２に示す下限位置とにスライドされ、上限位置ではレンズカバー３０はその上縁が筐体１２の上面１２Ｅと同じ高さとなり、下限位置ではレンズカバー３０の上縁は上面１２Ｅよりも下方に位置した箇所となる。
そして、レンズカバー３０が上限位置から下限位置に移動されることにより連動機構３３（図５）を介して第２の鏡筒２２が突出位置に移動し（図２、図４（Ｂ））、また、レンズカバー３０が下限位置から上限位置に移動されることにより連動機構３３を介して第２の鏡筒２２が図１に示す没入位置（図１、図４（Ａ））に移動する。
この際、レンズカバー３０は図４（Ａ）に示す上限位置で、没入位置に位置した第２の鏡筒２２の対物レンズ１８Ａおよびフラッシュ１１２を覆い、図４（Ｂ）に示す下限位置で、突出位置に位置した第２の鏡筒２２の対物レンズ１８Ａおよびフラッシュ１１２を露出させる。
なお、レンズカバー３０は、例えば、クリック機構などの従来公知のさまざまな構造により上限位置と下限位置とに係止保持される。
【００１５】
図５、図６に示すように、連動機構３３は、筐体１２の内部で左右方向に延在するアーム３４を含んで構成されている。
アーム３４は、その長手方向の中間部が支軸３６により筐体１２に支持されている。
アーム３４の長手方向の一端は、長溝３８、ピン４０を介してレンズカバー３０に連結されている。
アーム３４の長手方向の他端は、長溝４２、ピン４４を介して第２の鏡筒２２に連結されている。
そして、連動機構３３は、図５に示すようにレンズカバー３０の上限位置への移動でアーム３４を介して第２の鏡筒２２を没入位置に下降させ、図６に示すように、レンズカバー３０の下限位置への移動でアーム３４を介して第２の鏡筒２２を突出位置に上昇させるように構成されている。
【００１６】
また、図５、図６に示すように、筐体１２の内部に、第２の鏡筒２２に向かって左右方向に延在する筒状壁４６が設けられ、この筒状壁４６の内側にコイルスプリング４８が挿入され、このコイルスプリング４８の弾性力により鋼球５０が、左側方に臨む第２の鏡筒２２の側面２２Ｂに押圧されるように付勢されている。
そして、この鋼球５０が図５に示すように第２の鏡筒２２の没入位置において上側凹部２２０２に係合することで第２の鏡筒２２が没入位置に位置した状態を保持し、また、この鋼球５０が図６に示すように第２の鏡筒２２の突出位置において下側凹部２２０４に係合することで第２の鏡筒２２が突出位置に位置した状態を保持するように構成されている。
【００１７】
次に撮像装置１０の使用方法について説明する。
予め撮像装置１０のレンズカバー３０が上限位置に位置しているものとする。
撮像装置１０を用いて撮影する際には、レンズカバー３０を上限位置から下限位置にスライドさせることにより、駆動機構３２により第２の鏡筒２２が没入位置から突出位置に突出される。
これにより、図２、図４（Ｂ）に示すように、対物レンズ２４０２およびフラッシュ１１２が露出すると同時に、撮影光学系１８の光路の最後部に位置する第２レンズ２６０４と撮像素子１６の撮像面との間の光路長が確保され、言い換えると、撮影光学系１８による撮像面に対する被写体像の結像がなされるに足る光路長が確保される。
この状態で電源スイッチ１０４をオンとし、操作スイッチ１０８を操作することで撮像装置１０を撮影モードとする。
これにより、被写体像がディスプレイ１０６に表示されるので、ユーザーはディスプレイ１０６に表示された画像を視認しつつ撮影アングルや構図を決めてシャッターボタン１０２を押圧する。
これにより撮像素子１６によって撮像された画像データがメモリカード１１０に記録される。
【００１８】
撮影が終了したならば、レンズカバー３０を下限位置から上限位置にスライドさせることにより、駆動機構３２により第２の鏡筒２２が突出位置から没入位置に没入される。
これにより、図１、図４（Ａ）に示すように、対物レンズ２４０２およびフラッシュ１１２がレンズカバー３０で覆われると同時に、撮影光学系１８の光路の最後部に位置する第２レンズ２６０４と撮像素子１６の撮像面との間の光路長が短縮される。
【００１９】
以上説明したように本実施の形態によれば、被写体像を筐体１２の内部に取り入れる第１光学系２４と、第１光学系２４の光軸と交差する光軸を有し前記被写体像を撮像素子１６に導く第２光学系２６とを有する撮影光学系１８を備える撮像装置１０において、すなわち、光路の光軸が９０度折れ曲がったレンズ鏡筒１４を備える撮像装置１０において、撮影光学系１８を収容する第２の鏡筒２２を、撮像素子１６を収容する第１の鏡筒２０に対して摺動させることで撮影光学系１８の光路長を伸縮するようにした。
したがって、撮像装置１０の撮影時には、撮影光学系１８の光路長を確保して撮影を行えることは無論のこと、撮像装置１０の非使用時には、撮影光学系１８の光路長を短縮することで撮像装置１０の小型化を図ることができ、撮像装置１０の携帯性を高める上で有利となる。
また、第２の鏡筒２２の摺動による撮影光学系１８の光路長の伸縮が、撮影光学系１８の光路の最後部と撮像素子１６とを離間、接近させることでなされるため、撮影光学系１８の光路の中間部で光路長の伸縮を行う従来技術に比較して撮影光学系１８の光学的性能の向上を図る上で有利となり、鮮明な画像を撮像する上で有利となる。
また、本実施の形態では、駆動機構３３を用いることでレンズカバー３０の上限位置と下限位置との移動に連動して第２の鏡筒２２の出没がなされるため、操作性の向上を図る上で有利となる。
また、本実施の形態では、鋼球５０と下側凹部２２０４とが係合することで第２の筐体２２の突出位置が保持されるように構成されているので、突出位置にある第２の筐体２２に対して没入方向に強い外力が作用したとしても、鋼球５０と下側凹部２２０４との係合が解除され第２の筐体２２が没入方向に移動するため、無理な力が第２の筐体２２や駆動機構３２に作用して破損されることを防止する上で有利となる。
また、本実施の形態では、連動機構３３を、アーム３４を用いて構成したので、レンズカバー３０の上限位置と下限位置との間の移動量と、第２の鏡筒２２の突出位置と没入位置との移動量とを、アーム３４の長手方向における支軸３６の位置を設定することにより簡単に決定でき、設計の簡素化を図る上で有利となる。
また、本実施の形態では、第２の鏡筒２２に対物レンズ２４０２と共にフラッシュ１１２が設けられているため、対物レンズ２４０２による撮影範囲とフラッシュ１１２からの撮影補助光の照射範囲とを合致させる上で有利となることは無論のこと、レンズカバー３０の上限位置で対物レンズ２４０２とフラッシュ１１２との双方がレンズカバー３０で隠されるため、筐体１２の前面部分のデザイン性を高める上で有利となる。
【００２０】
（第２の実施の形態）
次に第２の実施の形態について説明する。
第２の実施の形態は、第２の鏡筒２２の突出位置を保持する構造と、第１、第２の鏡筒２０、２２内部への塵埃侵入の防止を図った点が第１の実施の形態と異なるものである。
図７は第２の実施の形態におけるレンズ鏡筒１４の分解斜視図、図８は第２の実施の形態におけるレンズ鏡筒１４の組み立て図、図９はフィルター６０の取り付け構造を示す分解斜視図である。
なお、以下の実施の形態において第１の実施の形態と同様の部分、部材には同一の符号を付しその説明を省略し、または、簡単に説明する。
図７に示すように、第１の実施の形態と同様に、第１の鏡筒２０は、矩形板状の底面２０Ａと、底面２０Ａの四辺から上方に延在する側面２０Ｂとを有し上方に開放状で上下に延在し、撮像素子１６は、撮像面を上方に向けて底面２０Ａ上に設けられている。
第２の鏡筒２２は、矩形板状の上面２２Ａと、上面２２Ａの四辺から下方に延在する側面２２Ｂとを有し下方に開放状で上下に延在している。
第１の鏡筒２０と第２の鏡筒２２との結合は、第１の鏡筒２０の側面２０Ｂの内側に第２の鏡筒２２の側面２２Ｂが摺動可能に組み込まれることでなされている。
【００２１】
第２の実施の形態では、図８、図９に示すように、第１の鏡筒２０の４つの側面２０Ｂのうち前方に臨む側面２０Ｂに、第１の鏡筒２０の内外を連通する開口６６が設けられている。
そして、この開口６６を閉塞するようにフィルター６８が側面２０Ｂに取着されている。
フィルター６８は、開口６６を通して第１の鏡筒２０の内外の空気の流通を可能としかつ塵埃の第１の鏡筒２０内への侵入を阻止するものである。
本実施の形態では、フィルター６８は、開口６６の縁部と、空気流通孔が形成されたフィルター用カバー７０とによって挟持された状態で開口６６に取り付けられている。
【００２２】
また、図７に示すように、第１の鏡筒２０の４つの側面２０Ｂのうち左側方に臨む側面２０Ｂには矩形状の開口５２が設けられている。
開口５２の内部には、図８に示すように、前後方向に間隔をおいて互いに平行して上下方向に延在する２つのガイド軸５４、５６が設けられ、それら２つのガイド軸５４、５６の両端は開口５２の上縁５２Ａと下縁５２Ｂとに連結されている。
なお、開口５２は図示しない蓋体によって閉塞される。
第２の鏡筒２２の側面２２Ｂのうち、開口５２に臨む箇所には、２つの軸受け部５８、６０と、２つのストッパ６２Ａ、６２Ｂとが設けられている。
２つの軸受け部５８、６０にはそれぞれガイド軸５４、５６が挿通され、したがって、第２の鏡筒２２は２つのガイド軸５４、５６と２つの軸受け部５８、６０を介して第１の鏡筒２０に上下に移動可能に案内されるため、第２の鏡筒２２の上下方向への移動をがたつきなく円滑に行う上で有利となっている。
なお、本実施の形態では、図８に示すように、第１の鏡筒２０と第２の鏡筒２２とにわたって設けられ、第２の鏡筒２２の突出位置と没入位置との間における上下移動を案内する案内機構７２が、２つの軸受け部５８、６０と２つのガイド軸５４、５６により構成されている。
【００２３】
２つのストッパ６２Ａ、６２Ｂのうち一方のストッパ６２Ａが、開口５２の上縁５２Ａに当接することで第２の鏡筒２２の突出位置が決定され、他方のストッパ６２Ｂが、開口５２の下縁５２Ｂに当接することで第２の鏡筒２２の没入位置が決定される。
また、一方のガイド軸５４には圧縮コイルスプリング６４が挿通されており、圧縮コイルスプリング６４は開口５２の下縁５２Ｂと一方の軸受け部５８との間に配置され、軸受け部５８を常時上方に向けて付勢し、言い換えると、圧縮コイルスプリング６４は第２の鏡筒２２を常時突出位置に向けて付勢し、第２の鏡筒２２が突出位置に位置した際にその状態を安定して保持するように図られている。
レンズカバー３０は、例えば、クリック機構などの従来公知のさまざまな構造により上限位置と下限位置とにそれぞれ係止保持され、第２の鏡筒２２を出没させる駆動機構３２は第１の実施の形態と同様に構成されている。
なお、第２の実施の形態では、第１の実施の形態の第１、第２係止凹部２２０２、２２０４、スプリング４８、鋼球５０は設けられていない。すなわち、レンズカバー３０が下限位置に位置すると、第２の鏡筒２２は突出位置に位置し、圧縮コイルスプリング６４の付勢力によってストッパ６２Ａが開口５２の上縁５２Ａに当接し、これにより第２の鏡筒２２の突出位置が保持される。また、レンズカバー３０が上限位置に位置すると、第２の鏡筒２２は、圧縮コイルスプリング６４の付勢力に抗して没入位置となり、ストッパ６２Ｂが開口５２の下縁５２Ｂに当接し、レンズカバー３０がクリック機構などにより係止保持されることで第２の鏡筒２２の没入位置が保持される。
【００２４】
第２の実施の形態においても第１の実施の形態と同様の効果が奏されることは無論のこと、開口６６およびフィルター６８を設けることにより、第１の鏡筒２０と第２の鏡筒２２とで形成される内部空間が開口６６を通して外気に連通することになり、したがって、第１の鏡筒２０の側面２０Ｂと第２の鏡筒２２の側面２２Ｂとの摺動を円滑に行う上で有利となり、同時にフィルター６８により塵埃の第１、第２の鏡筒２０、２２内への侵入が阻止され、第２の鏡筒２２の上下方向の移動を円滑に行う上で有利となり、撮影光学系１８の光学的性能の向上を図る上でより一層有利となる。
【００２５】
（第３の実施の形態）
次に第３の実施の形態について説明する。
第３の実施の形態は、連動機構３３をラックとピニオンを用いて構成している点が第１の実施の形態と異なっている。
図１０は連動機構３３の構成を示す斜視図、図１１（Ａ）乃至（Ｄ）は連動機構３３の動作説明図である。
【００２６】
連動機構３３は、図１０に示すように、第１ラック７４と、第２ラック７６と、ピニオン７８と、係止板８０と、スプリング８２（図１１（Ｄ））、スプリング８４とを含んで構成されている。
第１ラック７４は上下に延在し、ピン７４Ａ、長溝７４Ｂを介して筐体１２に上下に移動可能に支持されている。
第１ラック７４の上端はピン７４Ｃ、図示しない孔を介してレンズカバー３０（図１）に連結されている。
第１ラック７４の下部には、カム面７４Ｄを有するカムプレート７４Ｅが取着されている。
【００２７】
第２ラック７６は第１ラック７４の近傍の箇所で上下に延在し、ピン７６Ａ、長溝７６Ｂを介して筐体１２に上下に移動可能に支持されている。
第２ラック７６の上端はピン７６Ｃ、図示しない孔を介して第２の鏡筒２２に連結されている。
ピニオン７８は筐体１２に回転可能に支持され、第１ラック７４の歯部７４０２と第２ラック７６の歯部７６０２の双方に噛合している。そして、ピニオン７８は第１ラック７４の下方への移動により第２ラック７６を上方に移動させ、第１ラック７４の上方への移動により第２ラック７６を下方に移動させる。
【００２８】
係止板８０は、ピニオン７８の下方の筐体１２箇所に、ピン８０Ａ、長溝８０Ｂを介して左右方向に移動可能に設けられている。
係止板８０は、左右方向に延在し、延在方向の一方の端部にローラー８０Ｃが設けられ、延在方向の他方の端部にストッパ壁８０Ｄが設けられている。
２つのスプリング８２、８４のうち一方のスプリング８２は図１１（Ｄ）に示すように第２ラック７６を上方に付勢しており、他方のスプリング８２は図１０に示すように係止板８０を第１ラック７４から第２ラック７６方向に付勢している。
【００２９】
次に連動機構３３の動きについて説明する。
図１１（Ａ）はレンズカバー３０が上限位置に位置し、第２の鏡筒２２が没入位置に位置している状態を示しており、この状態で第１ラック７４のカム面７４Ｄの下方には係止板８０のローラー８０Ｃが位置している。
ここで、レンズカバー３０を下方に動かすと、第１ラック７４が下方に移動するとともに、ピニオン７８を介して第２ラック７６が上方に移動する。
そして、図１１（Ｂ）に示すように、レンズカバー３０が上限位置から、上限位置と下限位置との間の中間位置に下降したところで第２の鏡筒２２が突出位置となり、第１ラック７４の歯部７４０２がピニオン７８から外れ、カム面７４Ｄと係止板８０のローラー８０Ｃが当接する。
レンズカバー３０の前記中間位置から下限位置への移動により第１ラック７４のみが下方に移動し、図１１（Ｃ）に示すように、第１ラック７４のカム面７４Ｄが係止板８０のローラー８０Ｃを押圧することで係止板８０が第２ラック７６から第１ラック７４に向けてさらに移動される。この状態で係止板８０のストッパ壁８０Ｄは第２ラック７４の下端に位置している。
レンズカバー３０が下限位置に到達すると、図１１（Ｄ）に示すように、係止板８０のストッパ壁８０Ｄが第２ラック７４の幅方向の中間部の下端に位置し、これにより第２の鏡筒２２の突出位置を安定した状態で保持するようにしている。
【００３０】
レンズカバー３０を下限位置から上限位置に移動させると、下限位置から中間位置までは、カム面７４Ｄに沿ってローラー８０Ｃが移動することで係止板８０が第２ラック７６に向かう方向に移動する。
レンズカバー３０が中間位置よりも僅かに上方に変位したところでカム面７４Ｄとローラー８０Ｃとが離れ、以後、係止板８０はピン８０Ａと長溝８０Ｂにより決定される当初の位置に留まり、この位置ではストッパ壁８０Ｄは第２ラック７６の側方に退避している。
レンズカバー３０が中間位置よりも上方に移動すると、ピニオン７８を介して第２の鏡筒２２が突出位置から下方に移動し、レンズカバー３０の下限位置で第２の鏡筒２２が没入位置となる。
【００３１】
このような第３の実施の形態によっても第１の実施の形態と同様な効果が得られる他、係止板８０を設けることによって第２の鏡筒２２の突出位置を安定した状態で保持する上で有利となる。
【００３２】
（第４の実施の形態）
次に第４の実施の形態について説明する。
第１乃至第３の実施の形態では、撮影光学系１８の光路長を伸縮した場合について説明したが、第４の実施の形態は撮影光学系１８の光路長を固定とした点が第１乃至第３の実施の形態と異なっている。
図１２は第４の実施の形態の撮像装置１０の第１の筐体９２が没入位置にある斜視図、図１３、図１４は第４の実施の形態の撮像装置１０の第１の筐体９２が突出位置にある斜視図である。
【００３３】
図１２に示すように、撮像装置１０の筐体９０は、第１の筐体９２と、第２の筐体９４とを含んで構成されている。
第１の筐体９２は、筐体９０の前面、左右の側面、底面を構成する前面９２Ａ、左右の側面９２Ｂ、底面９２Ｃを有し、第１の筐体９２には、図１３に示すように、上方と後方に開放された凹部９２０２が設けられている。
第１の筐体９２の後面９２Ｄの下部には、複数の操作スイッチ１０８が設けられている。
【００３４】
第２の筐体９４は凹部９２０２に組み込まれ、第２の筐体９４は、図１２に示す凹部９２０２に収容された没入位置と、図１３、図１４に示す凹部９２０２から上方に突出した突出位置との間で上下に移動する。
第２の筐体９４は、筐体９０の上面、後面を構成する上面９４Ａ、後面９４Ｂを有している。
図１３に示すように、第２の筐体９４の右側部にはレンズ鏡筒９６が組み込まれ、レンズ鏡筒９６は上下に延在し、第２の筐体９４の前面９４Ｃの右側部の上部に対物レンズ９６０２およびフラッシュ１１２が位置している。
レンズ鏡筒９６は、第１の実施の形態と同様に、被写体像を筐体９０の内部に取り入れる第１光学系と、第１光学系の光軸と交差する光軸を有し前記被写体像を撮像素子１６に導く第２光学系とを有する撮影光学系を備え、光路の光軸が９０度折れ曲がっているが、レンズ鏡筒９６および撮影光学系の光路長は伸縮しないものである。
第２の筐体９４の上面９４Ａの左側部にシャッターボタン１０２が設けられている。
第２の筐体９４の後面９４Ｂにはディスプレイ１０６が設けられている。
【００３５】
第２の筐体９４が没入位置に位置した状態で、図１２に示すように、第１の筐体９２と第２の筐体９４とはあたかも単一の矩形板となる。この状態で複数の操作スイッチ１０８は第２の筐体９４により隠される。
また、第２の筐体９４が突出位置に位置した状態で、図１３に示すように、対物レンズ９６０２およびフラッシュ１１２が第１の筐体９２の上方に露出する。
また、第２の筐体９４が突出位置に位置した状態で、図１４に示すように、第１の筐体９２の後面９２Ｄの複数の操作スイッチ１０８が露出する。
【００３６】
第４の実施の形態によれば、第１の筐体９２が第２の筐体９４から出没するので、撮像装置１０の撮影時には、第１の筐体９２を突出位置にして対物レンズ９６０２を露出させて撮影を行えることは無論のこと、撮像装置１０の非使用時には、第１の筐体９２を没入位置にして撮像装置１０の小型化を図ることができ、撮像装置１０の携帯性を高める上で有利となる。
【００３７】
なお、実施の形態においては、撮像装置としてデジタルスチルカメラを例示したが、本発明はカメラ付の携帯電話機やＰＤＡ、ビデオカメラなどさまざまな撮像装置に無論適用可能である。
【図面の簡単な説明】
【００３８】
【図１】本実施の形態の撮像装置１０の非使用状態を示す斜視図である。
【図２】本実施の形態の撮像装置１０の使用状態を示す斜視図である。
【図３】撮像装置１０の制御系を示すブロック図である。
【図４】（Ａ）は第２の鏡筒２２が没入位置にある撮像装置１０の断面図、（Ｂ）は第２の鏡筒２２が突出位置にある撮像装置１０の断面図である。
【図５】駆動機構３２によりレンズカバー３０が上限位置に位置し第２の鏡筒２２が没入位置に位置した状態を示す説明図である。
【図６】駆動機構３２によりレンズカバー３０が下限位置に位置し第２の鏡筒２２が突出位置に位置した状態を示す説明図である。
【図７】第２の実施の形態におけるレンズ鏡筒９６の分解斜視図である。
【図８】第２の実施の形態におけるレンズ鏡筒９６の組み立て図である。
【図９】フィルター６０の取り付け構造を示す分解斜視図である。
【図１０】連動機構３３の構成を示す斜視図である。
【図１１】（Ａ）乃至（Ｄ）は連動機構３３の動作説明図である。
【図１２】第４の実施の形態の撮像装置１０の第１の筐体９２が没入位置にある斜視図である。
【図１３】第４の実施の形態の撮像装置１０の第１の筐体９２が突出位置にある斜視図である。
【図１４】第４の実施の形態の撮像装置１０の第１の筐体９２が突出位置にある斜視図である。
【符号の説明】
【００３９】
１０……撮像装置、１２……筐体、１６……撮像素子、１８……撮影光学系、２０……第１の鏡筒、２２……第２の鏡筒、２４……第１光学系、２６……第２光学系、３２……駆動機構。
【図１】
2008256906.tif 000003
【図２】
2008256906.tif 000004
【図３】
2008256906.tif 000005
【図４】
2008256906.tif 000006
【図５】
2008256906.tif 000007
【図６】
2008256906.tif 000008
【図７】
2008256906.tif 000009
【図８】
2008256906.tif 000010
【図９】
2008256906.tif 000011
【図１０】
2008256906.tif 000012
【図１１】
2008256906.tif 000013
【図１２】
2008256906.tif 000014
【図１３】
2008256906.tif 000015
【図１４】
2008256906.tif 000016